(57)【要約】      （修正有）【課題】楽器、特にギター等の大型弦楽器を自身で運搬して長距離移動する場合において、楽器を保護し、且つ少ない労力で運搬が可能となる楽器運搬用ケースを提供する。【解決手段】硬質の素材を用いて製作された楽器用運搬ケースの取手がとりつけられた部分の反対側に位置する側面部分の辺縁近傍に、先端に車輪が取り付けられ折りたたみ収納が可能で衝撃吸収手段を有する可動脚を付設する。楽器用運搬ケースを手に持って長距離移動する時には車輪が地面に接するように脚を引き出してケースの重量を支えながら移動することにより、ケース内の楽器を破損等から保護すると共に移動時にかかる労力を軽減できる。【選択図】図２
0003187307.tif 000002
【実用新案登録請求の範囲】
【請求項１】
楽器を収納する為に一面が開放されたケース本体と、前記開放されているケース本体部分に開閉可能な蓋体を可動可能に連結し、前記ケース本体及び前記蓋体の内側に衝撃吸収を目的として付設された軟質緩衝材と、前記ケース本体側壁面の縦方向中央部分に手で持つ為の取手が付設され、外被部分を硬質な素材を用いて製作された楽器用運搬ケースであって、前記取手の反対側に位置する側壁面の近傍には、一方端が前記外被部分に取り付けられもう一端には車輪の付設された衝撃吸収手段を有する可動可能な脚が設けてあり、
前記ケース本体及び前記蓋体の形状は、収納する楽器よりも大きく且つ外形に沿った形状であり、前記脚及び前記車輪の収納部を有し、
前記楽器用運搬ケースの前記取手を持って移動する時、前記脚の前記楽器用運搬ケースに取り付けられた部分を支点にして前記車輪が地面に接するまで回転・伸張移動させて前記楽器用運搬ケースの重量を支えながら移動することにより、ケース内の楽器を破損等から保護すると共に移動時にかかる労力を軽減することを可能とすることを特徴とする楽器用運搬ケース。
【請求項２】
前記脚は、前記収納部に回転・収縮移動によりしまい込むための可動手段を備えたことを特徴とする請求項１記載の楽器用運搬ケース。
【考案の詳細な説明】
【技術分野】
【０００１】
本考案は、楽器を運搬する際に用いるケースに関するものである。
【背景技術】
【０００２】
現代において重い荷物を運ぶ場合、通常は運送会社等に委託して輸送するのが常である。しかし、楽器、特にギター等の弦楽器は温度、湿度、外部からの衝撃等に非常に敏感でデリケートな扱いを要求される為、人手にて運搬するのが最良の方法と言われている。そのような事もあって従来より弦楽器等を運搬する場合、楽器の保護を目的として硬質な材料である木材を用いて堅牢に製作されたケースに収納し、人手にて大切に運搬をおこなってきた。しかし、木材は素材として重く、手に持ってケースを運搬するには大変な労力を必要とする為、堅牢さと軽さを兼ね備えたケースが求められていた。
【０００３】
そのような中、堅牢且つ軽量化の手段として特許文献１に見られるような合成樹脂をケースの素材に用いたものが考案された。しかしながら、素材の重量としてはまだまだ重く、軽量化という観点からは十分では無かった。
【０００４】
また、軽量化という観点から、ケース外側を構成する素材に化学繊維等の軽い素材を用い、ケース内側の楽器に接触する部分は発砲スチロールや軟質ポリウレタン等の衝撃を緩衝する素材で構成し、外部からの楽器への衝撃を緩和させる構造の軽量ケース（セミハードケース）が商品化されている。さらに、手に持つ以外にケースを背負う事ができるようにストラップを付設してある。しかしながらこの構成では外から圧力が加わったり接触によるねじれ等によって楽器が破損することがあり、楽器の保護という点では十分とは言えなかった。
【０００５】
そのような事に鑑みて、近年ではケース外側の素材としてカーボンコンポジット（炭素繊維+樹脂）を用いることにより堅牢且つ軽量化されたものも実現されている。しかし、楽器を伴っての移動では、ストラップを用いて肩に掛けたり背負うだけではなく、手で持つ場面が必ず生じる。また、堅牢且つ軽量なケースであっても中に入れて運搬する楽器の自重を含めた総重量は楽器の種類にもよるが５キログラム〜１０キログラム程となり、女性や子供等非力な者が手に持って長時間移動するにはやはり相当の労力が必要であった。その他にもカーボンコンポジット材の形成・加工が難しく製作コストがかかるため非常に高価であり、広く一般に普及していないのが実情である。
【先行技術文献】
【特許文献】
【０００６】
【特許文献１】特許３９４０７００
【考案の概要】
【考案が解決しようとする課題】
【０００７】
本考案の課題は、人手により楽器、特にギター等の大型弦楽器を伴って運搬する場合において、楽器を保護し、且つ少ない労力で運搬が可能となる楽器運搬用ケースを提供することである。
【課題を解決するための手段】
【０００８】
本考案の楽器運搬用ケースは、硬質の素材を用いて製作された楽器用運搬ケースの取手がとりつけられた部分の反対側に位置する側面部分の辺縁近傍に、先端に車輪が取り付けられ折りたたみ可能で衝撃吸収手段を有する可動脚を付設し、楽器用運搬ケースを手に持って長距離移動する時には車輪が地面に接するように脚を引き出してケースの重量を支えながら移動することにより、ケース内の楽器を破損等から保護すると共に移動時にかかる労力を軽減することを特徴とする。以下、請求項に沿って記述する。
【０００９】
請求項１記載の考案は、楽器用運搬ケースであって、
楽器を収納する為に一面が開放されたケース本体と、前記開放されているケース本体部分に開閉可能な蓋体を可動可能に連結し、前記ケース本体及び前記蓋体の内側に衝撃吸収を目的として付設された軟質緩衝材と、前記ケース本体側壁面の縦方向中央部分に手で持つ為の取手が付設され、外被部分を硬質な素材を用いて製作された楽器用運搬ケースであって、前記取手の反対側に位置する側壁面の近傍には、一方端が前記外被部分に取り付けられもう一端には車輪の付設された衝撃吸収手段を有する可動可能な脚が設けてあり、
前記ケース本体及び前記蓋体の形状は、収納する楽器よりも大きく且つ外形に沿った形状であり、前記脚及び前記車輪の収納部を有し、
前記楽器用運搬ケースの前記取手を持って移動する時、前記脚の前記楽器用運搬ケースに取り付けられた部分を支点にして前記車輪が地面に接するまで回転・伸張移動させて前記楽器用運搬ケースの重量を支えながら移動することにより、ケース内の楽器を破損等から保護すると共に移動時にかかる労力を軽減することを可能とすることを特徴とする。
【００１０】
請求項２記載の考案は、請求項１記載の楽器用運搬ケースにおいて、
前記脚は、前記収納部に回転・収縮移動によりしまい込むための可動手段を備えたことを特徴とする。
【考案の効果】
【００１１】
以上の様に構成されているので、本考案の楽器運搬用ケースは、硬質の素材を用いて製作された楽器用運搬ケースの取手がとりつけられた部分の反対側に位置する側面部分の辺縁近傍に、先端に車輪が取り付けられ折りたたみ可能で衝撃吸収手段を有する可動脚を付設し、楽器用運搬ケースを手に持って長距離移動する時には車輪が地面に接するように脚を引き出してケースの重量を支えながら移動することにより、ケース内の楽器を破損等から保護すると共に移動時にかかる労力を軽減することが可能となる。
【図面の簡単な説明】
【００１２】
【図１】本考案に係る楽器運搬用ケースの一実施態様を示す図である。
【図２】本考案に係る楽器運搬用ケースの脚体部の使用状態の一実施態様を示す図である。
【図３】本考案に係る楽器運搬用ケースの脚体部の動作の一実施態様の詳細を示す図である。
【図４】本考案に係る楽器運搬用ケースの一実施態様を示す図である。
【図５】従来の楽器運搬用ケースを示す図である。
【考案を実施するための形態】
【００１３】
本考案の楽器運搬用ケースは、楽器用運搬ケースの取手がとりつけられた部分の反対側に位置する側面に、先端に車輪が取り付けられ折りたたみ可能で衝撃吸収手段を有する脚を付設し、楽器用運搬ケースを手に持って長距離移動する時には車輪が地面に接するように脚を引き出してケースの重量を支えながら移動することにより、ケース内の楽器を破損等から保護すると共に移動時にかかる労力を軽減することが可能となる。以下図に沿って説明する。
【００１４】
図１は、本考案に係る楽器運搬用ケースの一実施態様を示す図である。まずは全体の構成を説明する。１−Ｂは、楽器運搬用ケース１００の斜視図であり、ケース体１０１より蓋体１０２を開いた状態を示す。楽器運搬用ケース１００は、収納する楽器の形状により形状が変わるが、凹部に楽器を収納するケース体１０１とこれの蓋となる蓋体１０２を備え、１−Ａに示すようにケース体１０１の側面部分には、楽器運搬用ケースを手で持って運搬する為の取手１０３が付設されている。１−Ｂに示すようにケース体１０１と蓋体１０２の双方に蓋を閉めたときに互いにかみ合い蓋が開かないように固定する止金具１０４を有し、また、１−Ｂ、１−Ｃに示すようにケース体１０１と蓋体１０２は蝶番金具である連結金具１０５で連結されており、蓋体１０２の開閉が行えるようになっている。
更に、運搬以外のときは、楽器運搬用ケース１００の中に折り畳み収容され、運搬時には楽器運搬用ケース１００から外に広げて使用できる車輪付き脚手段１０６を備えている。車輪付き脚手段１０６は、クッション性も備えているので、路面の凹凸からの衝撃を楽器に伝えないように緩和することも可能である。以下、車輪付き脚手段１０６に関する各部を詳細に記述する。
【００１５】
蓋体１０２又は／及びケース体１０１において、取手１０３と反対側に位置する側面部分には、車輪付き脚手段１０６としての前方車輪手段１１０又は／及び後方車輪手段１２０が備わっている。一般には、楽器で大きい容積を持つ方を地面に付けて引くことになるので、ケース体１０１の容積の大きい側が後方に、小さい側が前方になる。
前方車輪手段１１０、後方車輪手段１２０とも、車輪１１１、１２１と各々を一端に把持し、折り畳み可能な脚体部１１２、１２２と、これらが折りたたまれて収納するための車輪手段収納部１１３、１２３を備えている。脚体部１１２、１２２の他端は、各々、脚体支持部１１４、１２４を介してケース体１０１又は、及び蓋体１０２に接続され、脚体支持部１１４、１２４を支点として脚体部１１２、１２２が折り畳み可能となっている。
１−Ｃはケース本体１０１の連結金具１０５のある側から見た図であり、前方車輪手段１１０及び後方車輪手段１２０収納時に蓋体１０２側からでは、車輪手段収納部１１３、１２３のカバーに隠れて見えない部分を表している。
この図に見るように車輪手段収納部１１３、１２３に前方車輪手段１１０及び後方車輪手段１２０が折りたたまれ収納されている。運搬時には、外に出して使用に供する。
【００１６】
１−Bで示した止金具１０４は、既製品であるパッチン止め金具(商品名)等が使用され、蓋体１０２が閉じている時には、止金具１０４同士を引っかけて固定する。また、ケース本体１０１及び蓋体１０２の内側全体には、収納する楽器の外形に合わせるように発泡スチロール、軟質ポリウレタンフォーム、布等のうち一つまたは複数を組み合わせて構成された軟質緩衝材１３０が付設されている。
【００１７】
次に、前方および後方の脚体部１１２、１２２の折り畳み機能についての詳細を図２及び図３を用いて説明する。
図２は、本考案に係る楽器運搬用ケースの脚体部の使用状態の一実施態様を示す図である。
車輪１１１、１２１を備えた脚体部１１２、１２２を車輪手段収納部１１３、１２３
から引き出して、車輪１１１、１２１が地上面２０１に接触した状態を表した図である。
この様な状態で運搬に供するので運搬者の労力の軽減と楽器の保護に有効である。
【００１８】
次に、脚体部の動きについて詳細に説明する。図３は、本考案に係る楽器運搬用ケースの脚体部の動作の一実施態様の詳細を示す図である。前後用ともほぼ同様なので、前方に取り付いた脚体部１１２の折りたたみ動作を詳述する。
３−Ａに表したように、脚体部１１２は、脚体支持部１１４を介して、ケース体１０１又は、及び蓋体１０２に接続されているのであるが、更に適切な構成としては、脚体部１１２の途中位置を第一支点として一端が回転自在についた補助脚体１１７を備え、ケース本体１０１又は、及び蓋体１０２上の脚体支持部１１４とは離れた第二支点に他端が回転可能に補助脚体１１７が支持されることで、第一支点と脚体支持部１１４と第二支点が三角形形状になったリンク機構を形成している。脚体部１１２は、折り畳み状態から開いた場合には、図２又は、３−Ａの車輪が地面に付いた状態に対応し、折り畳みの途中は、３−Ａの車輪が地面から浮いて途中になった状態に対応する。更に、完全に折り畳み収納した状態では、１−Ｃのようになっていて、補助脚体１１７は、脚体部１１２に重なった状態になっている。
【００１９】
次に、３−Ａ、３−Ｂにおいて、脚体部１１２、１２２における衝撃吸収機能について述べる。
衝撃吸収機能には、２つが考えられる。１つは、脚体部１１２、１２２の長さ方向の伸縮によるものであり、もう一つは、脚体部１１２、１２２の脚体支持部１１４、１２４の回りの回転によるものである。
先ず、１つ目の伸縮による対応では、
脚体部１１２、１２２は、脚体支持部１１４、１２４に接続した第一脚体１１２Ａ、１２２Ａと車輪１１１、１２１に接続した第二脚体１１２Ｂ、１２２Ｂを有していて、第一脚体１１２Ａ、１２２Ａに対して第二脚体１１２Ｂ、１２２Ｂが伸縮可能に保持されていることが望ましい。第一脚体１１２Ａ、１２２Ａと第二脚体１１２Ｂ、１２２Ｂの間には、スプリング等の衝撃吸収手段１１８が介在することで楽器運搬用ケースの移動時には、地上面２０１からの衝撃を吸収するサスペンションの役割をする。衝撃吸収手段１１８としては、スプリング、バネ、エラストマー、ダンパー等のどれか一つ若しくは複数を用いても良い。尚、図示してはいないが、前方の第一脚体１１２Ａ、１２２Ａから第二脚体１１２Ｂ、１２２Ｂが抜けないように第一脚体１１２Ａ、１２２Ａの内側にはストッパーが設けられている。
【００２０】
次に、回転による対応では、
脚体支持部１１４の回転軸には、回転方向の動きをダンプするバネ等のダンプ手段１１９が備えられていて、リンク機構により地上面２０１からの衝撃を吸収するサスペンションの役割をする。これらの脚体部による楽器運搬用ケース重量を支持する機能及び衝撃吸収機能により、楽器運搬用ケースの移動時における労力の軽減及び楽器の保護機能向上が可能となる。
【００２１】
また、前方車輪手段１１０および後方車輪手段１２０の各々ごとに、脚開放ボタン１１５、１２５を備え、各々のボタンを動かすことによってケース体１０１、または及び蓋体１０２に固定されていた脚体部１１２、１２２を解放して折り畳み可能な状態にすることができる。
脚開放ボタン１１５、１２５と脚止めラッチ１１６、１２６は連動しており、脚開放ボタン１１５、１２５を動かすことにより脚止めラッチ１１６、１２６が脚体部１１２、１２２から外れ、開脚を行うことが可能となる。また、閉脚（折り畳み）する時は、第二脚体１１２Ｂ、１２２Ｂを第一脚体１１２Ａ、１２２Ａ内へ挿入しながら脚体部１１２、１２２が脚止めラッチ１１６、１２６に引っかかって止まるまで引き上げて車輪手段収納部１１３、１２３へ納める。
【００２２】
次に図４について説明する。蓋体１０２の反対側（ケース本体１０１側）から見た図である。本考案に係る楽器運搬用ケースにおいても従来の楽器ケースに用いられている背負用ベルト４０１及び肩掛け用ベルト４０２を付設することも可能である。しかしながら、背負用ベルト４０１で背負った場合には楽器に対して直接目視ができにくい状態であり、楽器破損回避行動が的確に行えない場合がある。また、肩掛け用ベルト４０２による肩掛けにおいては、左右どちらかの肩一点にケースの重量が集中し、長離移動では労力を必要とする。そのようなことから、本考案に係る楽器運搬用ケースの補助という観点で付設することが望ましい。
【産業上の利用可能性】
【００２３】
以上の様に構成されているので、本考案の楽器運搬用ケースは、楽器用運搬ケースの取手がとりつけられた部分の反対側に位置する側面部分に、先端に車輪が取り付けられ折りたたみ可能で衝撃吸収手段を有する脚を付設し、楽器用運搬ケースを手に持って長距離移動する時には車輪が地面に接するように脚を引き出してケースの重量を支えながら移動することにより、ケース内の楽器を破損等から保護すると共に移動時にかかる労力を軽減することが可能であり、産業上の利用性が極めて大きい。
【符号の説明】
【００２４】
１００  楽器運搬用ケース
１０１  ケース体
１０２  蓋体
１０３  取手
１０４  止金具
１０５  連結金具
１０６  車輪付き脚手段
１１０  前方車輪手段
１１１、１２１  車輪
１１２、１２２  脚体部
１１３、１２３  車輪手段収納部
１１４、１２４  脚体支持部
１１５、１２５  脚開放ボタン
１１６、１２６  脚止めラッチ
１１７、１２７  補助脚体
１１８  衝撃吸収手段
１１９  ダンプ手段
１２０  後方車輪手段
４０１  背負用ベルト
４０２  肩掛け用ベルト
【図１】
0003187307.tif 000003
【図２】
0003187307.tif 000004
【図３】
0003187307.tif 000005
【図４】
0003187307.tif 000006
【図５】
0003187307.tif 000007